(57)【要約】本発明は電気的に加熱可能であるように適合されかつ少なくとも二つの帯域に分割されている実質的に透明な電導被覆層を含む電気的に加熱可能な窓ガラスパネルに関し、各帯域は一対の間隔を置いた母線と一対の間隔を置いた母線間に設けられた電導経路を含む。本発明による窓ガラスパネルは好ましくは曇り防止または氷結防止目的のために用いられることができる車の側面窓である。
2005529055.tif 000002
【特許請求の範囲】
【請求項１】
基板と少なくとも二つの電気的に加熱可能な帯域を含む電気的に加熱可能な窓ガラスパネルであって、各電気的に加熱可能な帯域が：
ｉ）実質的に透明な電導被覆層、
ｉｉ）この実質的に透明な電導被覆層を横切って電圧を供給するのに適合した間隔を置いた母線、及び
ｉｉｉ）母線間に構成された電導経路、
を含むものにおいて、
少なくとも一つの電気的に加熱可能な帯域で電導経路がそれ自身の上に折り返すように電導被覆層内でその長さに沿って少なくとも一度方向を変える、
ことを特徴とする電気的に加熱可能な窓ガラスパネル。
【請求項２】
電導経路の少なくとも一部分が実質的に窓ガラスパネルの下縁から窓ガラスパネルの上縁に延びていることを特徴とする請求項１に記載の電気的に加熱可能な窓ガラスパネル。
【請求項３】
少なくとも二つの電気的に加熱可能な帯域で、電導経路がそれ自体で折り返すように電導被覆層内でその長さに沿って少なくとも一度方向を変えることを特徴とする請求項１または２に記載の電気的に加熱可能な窓ガラスパネル。
【請求項４】
電導経路の長さが各帯域で実質的に同じであることを特徴とする請求項３に記載の電気的に加熱可能な窓ガラスパネル。
【請求項５】
全ての母線が窓ガラスパネルの同じ縁の長さに沿って設けられていることを特徴とする請求項１から４のいずれかに記載の電気的に加熱可能な窓ガラスパネル。
【請求項６】
母線が窓ガラスパネルの下縁の長さに沿って設けられていることを特徴とする請求項５に記載の電気的に加熱可能な窓ガラスパネル。
【請求項７】
電気的に加熱可能な帯域が実質的に絶縁する少なくとも一つの帯域境界線により境界を定められることを特徴とする請求項１から６のいずれかに記載の電気的に加熱可能な窓ガラスパネル。
【請求項８】
一つまたはそれより多い帯域境界線が窓ガラスパネルの非被覆部分により提供されることを特徴とする請求項７に記載の電気的に加熱可能な窓ガラスパネル。
【請求項９】
一つまたはそれより多い帯域境界線が１５０μｍより小さい幅を持つことを特徴とする請求項７または８に記載の電気的に加熱可能な窓ガラスパネル。
【請求項１０】
被覆層が太陽制御被覆層であることを特徴とする請求項１から９のいずれかに記載の電気的に加熱可能な窓ガラスパネル。
【請求項１１】
被覆層が２と２５オーム／平方との間からなる抵抗を持つことを特徴とする請求項１から１０のいずれかに記載の電気的に加熱可能な窓ガラスパネル。
【請求項１２】
基板がガラスシートであることを特徴とする請求項１から１１のいずれかに記載の電気的に加熱可能な窓ガラスパネル。
【請求項１３】
窓ガラスパネルが熱的に強化されていることを特徴とする請求項１から１２のいずれかに記載の電気的に加熱可能な窓ガラスパネル。
【請求項１４】
窓ガラスパネルがラミネートされていることを特徴とする請求項１から１３のいずれかに記載の電気的に加熱可能な窓ガラスパネル。
【請求項１５】
窓ガラスパネルが自動車の側面窓であることを特徴とする請求項１から１４のいずれかに記載の電気的に加熱可能な窓ガラスパネル。
【請求項１６】
窓ガラスパネルが少なくとも一つの鋭角を持つことを特徴とする請求項１から１５のいずれかに記載の電気的に加熱可能な窓ガラスパネル。
【請求項１７】
窓ガラスパネルが実質的に三角形であることを特徴とする請求項１６に記載の電気的に加熱可能な窓ガラスパネル。
【請求項１８】
電導被覆層が基板の表面上に直接付着されることを特徴とする請求項１から１７のいずれかに記載の電気的に加熱可能な窓ガラスパネル。
【請求項１９】
電導被覆層が窓ガラスパネルの一部として組み立てられた薄いプラスチックフィルムにより担持されることを特徴とする請求項１から１７のいずれか一つに記載の電気的に加熱可能な窓ガラスパネル。
【請求項２０】
全ての電気的に加熱可能な帯域を横切る温度の変動が、電圧が第一と第二母線を介して窓ガラスパネルの被覆層を横切って付与され、かつ窓ガラスパネルが室温であるその周囲と平衡状態に達した後に、１５℃より小さいことを特徴とする請求項１から１９のいずれかに記載の電気的に加熱可能な窓ガラスパネル。
【請求項２１】
窓ガラスの縁に順序良くかつそれに沿って配置された間隔を置いた第一、第二及び第三の電気母線を含み、第一の電気的に加熱可能な経路が第一と第二母線との間に構成され、第二の電気的に加熱可能な経路が第二と第三母線との間に構成されることを特徴とする電気的に加熱可能な窓ガラスパネル。
【請求項２２】
第一の電気的に加熱可能な経路の電気加熱を第二と第一の母線の間に付与される電位差により提供するように適合されており、かつ第二の電気的に加熱可能な経路の電気加熱を第二と第三の母線間に付与される電位差により提供するように適合されていることを特徴とする請求項２１に記載の電気的に加熱可能な窓ガラスパネル。
【請求項２３】
第一と第三母線が第一と第二の電気的に加熱可能な経路の加熱のために実質的に同じ電位に維持されるように適合されていることを特徴とする請求項２１または２２に記載の電気的に加熱可能な窓ガラスパネル。
【請求項２４】
第一と第二の電気的に加熱可能な経路の加熱のために、第二母線が負電位に維持されるように適合されており、第一と第三母線が正電位に維持されるように適合されていることを特徴とする請求項２１から２３のいずれか一つに記載の電気的に加熱可能な窓ガラスパネル。
【請求項２５】
窓ガラスパネルが窓ガラスパネルの一縁においてかつそれに沿って第一、第二及び第三の電気母線から間隔を置かれかつそれらと順序良く配置された第四の電気母線を更に含み、第三の電気的に加熱可能な経路が第三と第四母線の間に構成されることを特徴とする請求項２１から２４のいずれか一つに記載の電気的に加熱可能な窓ガラスパネル。
【請求項２６】
窓ガラスパネルの一縁においてかつそれに沿って第一、第二、第三及び第四電気母線から間隔を置かれかつそれらと順序良く配置された第五の電気母線を更に含み、第四の電気的に加熱可能な経路が第四と第五母線の間に構成されることを特徴とする請求項２５に記載の電気的に加熱可能な窓ガラスパネル。
【請求項２７】
電気的に加熱可能な経路が窓ガラスパネルの一部として設けられた電気的に加熱可能な被覆層の部分により提供されることを特徴とする請求項２１から２６のいずれか一つに記載の電気的に加熱可能な窓ガラスパネル。
【請求項２８】
電気的に加熱可能な経路が電気的に加熱可能なワイヤーにより提供されることを特徴とする請求項２１から２６のいずれか一つに記載の電気的に加熱可能な窓ガラスパネル。
【請求項２９】
母線が実質的に平行であり及び／または実質的に同一直線上にあり及び／または実質的に共軸上にあることを特徴とする請求項２１から２８のいずれか一つに記載の電気的に加熱可能な窓ガラスパネル。
【発明の詳細な説明】
【技術分野】
【０００１】
本発明は電気的に加熱可能な窓ガラスパネルに関する。
【背景技術】
【０００２】
電導被覆層を含みかつ実質的に規則的な形状、例えば長方形である加熱可能な窓ガラスパネルの場合においては、電流は実質的に互いに平行である例えば金属母線を通して電導被覆層に導かれる。この特別の場合では母線の全長に沿って母線間の距離は実質的に同じである。母線の長さに沿った電流経路の電気抵抗は従って実質的に同じである。かかる窓ガラスパネルに所定の電圧を付与するとき、発生する熱の量は電導被覆層で覆われた窓ガラスパネルの全表面を通して実質的に均一であるであろう。
【０００３】
実質的に不規則な形状の加熱可能な窓ガラス、例えば自動車、鉄道または航空分野で利用される窓ガラスパネルの場合、母線の長さに沿って少なくとも一部分で発散する間隔を置いた母線が用いられるかもしれない。従って母線間の距離は変わり、その結果電流経路の電気抵抗もまた変わる。従って、かかる窓ガラスパネルに所定の電圧を付与するとき、発生した熱の量は母線の長さに沿って変わるであろうし、それにより局所的領域の過熱の危険を作り出し、それが電導被覆層を損傷しまたは破壊するかもしれない。更に、かかる加熱可能な窓ガラスパネルが曇り防止または氷結防止の目的のために使用されるとき、ある領域が他より早く曇り防止または氷結防止するかもしれない。これはかかる窓ガラスパネルを通して見る観察者に対して可視性の問題を引き起こすかもしれない。
【発明の開示】
【０００４】
一態様によれば、本発明は請求項１に記載の加熱可能な窓ガラスパネルを提供する。他の請求項は本発明の代替態様及び／または好適態様を規定する。
【０００５】
間隔を置いた母線を横切って電圧を付与するとき発生する熱は窓ガラスパネルの全表面に渡って実質的に同じであるかもしれない。これは例えば、特に窓ガラスパネルがそのために十分な長さの時間の間加熱されて安定なまたはその周囲と平衡な温度に達したときに、窓ガラスパネルの一つの５ｃｍ２面積の平均温度を窓ガラスパネルの別の間隔を置いた５ｃｍ２面積の平均温度と比較することにより評価されることができる。一実施例において、窓ガラスパネルはこのようにして実質的に均一に氷結防止されまたは曇り防止されることができる。
【０００６】
有利には、電導経路の少なくとも一部分は実質的に窓ガラスパネルの下縁から窓ガラスパネルの上縁まで延びる。この実施例では熱は窓ガラスパネルの上縁と窓ガラスパネルの下縁で実質的に同時に発生されることができ、窓ガラスパネルのこれらの両方の縁での均一加熱を与える。
【０００７】
好ましくは、窓ガラスパネルは実質的に電導被覆層により覆われており；例えば窓ガラスパネルの少なくとも６０％、７０％、７５％、８０％、８５％、９０％または９５％が被覆層で覆われることができる。これは各帯域内で実質的に同じでありかつ好ましくは窓ガラスの全可視表面に渡って実質的に同じである光学的性質（例えば反射、反射色、全可視光透過度、全エネルギー透過度）を持つ窓ガラスパネルを提供することができる。
【０００８】
好ましくは、窓ガラスパネルは二つより多い電気的に加熱可能な帯域、例えば３，４，５，６，７，８，９，１０，１２，１５，２０，３０またはそれより多い帯域を含む。
【０００９】
電気的に加熱可能な帯域の電導経路をそれ自身の上に折り返すように電導被覆層内のその長さに沿って少なくとも一度方向を変えるように配置することは窓ガラスパネルの寸法、形状または輪郭から独立して電導経路の長さを設計することを可能とするかもしれない。これは問題の部分での窓ガラスパネルの高さ、形状または輪郭に対する直接的な制限なしに窓ガラスパネルの種々の部分で電導経路の電気抵抗が選ばれることを可能とするかもしれない。ある実施例では、これは窓ガラスパネルの全表面に渡って、特に実質的に同じ電圧が各電導加熱可能な帯域を横切って付与されるところで、実質的に均一な加熱を達成するために使用されることができる。自分自身の上で折り返すように電導被覆層内の長さに沿って少なくとも一度方向を変える電気的に加熱可能な帯域の電導経路はループ、Ｕ形ループ、Ｓ形ループまたは蛇行ループの形の形状を付与されることができる。
【００１０】
好ましくは、窓ガラスパネルは少なくとも二つの電気的に加熱可能な帯域を含み、そこでは電導経路はそれ自身の上で折り返すように電導被覆層内でその長さに沿って少なくとも一度方向を変える。ある実施例では、これらの二つの電気的に加熱可能な帯域で、かつ好ましくは全ての電気的に加熱可能な帯域での電導経路の長さは実質的に同じである。
【００１１】
有利には、窓ガラスパネルは少なくとも３，４，５，６，７，８，９，１０，１１，１２，１３，１４，１５または２０の電気的に加熱可能な帯域を含み、そこでは電導経路はそれ自身の上で折り返すように電導被覆層内でその長さに沿って少なくとも一度方向を変える。
【００１２】
少なくとも二つの隣接する電気的に加熱可能な帯域を横切る、より好ましくは窓ガラスパネルの全ての電気的に加熱可能な帯域を横切る温度の変動は、特に電圧が第一及び第二母線を介して窓ガラスパネルの被覆層を横切って付与されるとき、そして窓ガラスパネルが安定な状態または室温であるその周囲と平衡状態に達した後に、１５℃未満、好ましくは１２℃、１０℃、８℃、５℃または２℃未満であることができる。窓ガラスパネルの特別な実施例において、一旦平衡状態が達成された全ての電気的に加熱可能な帯域を横切る平均温度は約４０℃である。
【００１３】
これに変えて、窓ガラスパネルは優先的な電気的に加熱可能な帯域を持って構成されることができる。優先的な電気的に加熱可能な帯域の電導経路の長さは窓ガラスパネルの他の電気的に加熱可能な帯域の電導経路の長さとは異なることができ、従ってもし必要なら、この優先帯域は他の加熱可能な帯域より迅速に加熱されることができる。
【００１４】
一つまたはそれより多い電気的に加熱可能な帯域は別個の対の母線を含むことができる。ここで使用される表現“別個の対の母線”は母線が単一の電気的に加熱可能な帯域のみのために働くことを意味する。これに代えて、一つまたはそれより多い母線が一つより多い電気的に加熱可能な帯域のために働くように適合されることができる。
【００１５】
母線のそれぞれの極性は使用時に電圧が母線間に付与される時と同じままであってもよい。従って、使用時の各電導経路の電流の方向は一定であってもよい。好ましくは、電導経路は固定形状を持ち、すなわち、電導経路の形状は窓ガラスの加熱サイクル中変わらないまたは変動しない。好ましくは窓ガラスパネルの迅速で均一な加熱に好都合なように母線の全てに同時に電圧が付与される。
【００１６】
有利には、母線は窓ガラスパネルの同じ縁の長さに沿って、例えば窓ガラスパネルの下縁に沿って、設けられ；これは視野からの母線の遮蔽を、例えば母線をエナメルまたは他のマスキング剤で覆うことによりまたは使用時に母線が例えば車の車体の一部により隠れるように配置することにより、容易にすることができる。
【００１７】
電気的に加熱可能な帯域は実質的に絶縁する一つまたはそれより多い帯域境界線により境界を定められることができる。ここで使用された表現“実質的に絶縁する”は被覆層より電導性の小さいまたは実質的に電流を伝導しない帯域境界線に関する。
【００１８】
帯域境界線は電導被覆層の上に被覆層より電導性の小さい材料を模様に従って付与することにより提供されることができる。好ましくは、帯域境界線は窓ガラスパネルの一つまたはそれより多い非被覆部分により提供される。一つまたはそれより多い非被覆部分は電圧が母線間に付与されるときそれを通して実質的に電流が流れないような電気抵抗を持つことができ、かくして実質的に非電導性であることができる。一つまたはそれより多い非被覆部分は電導層を付着する前に基板にマスキング剤を模様に従って付与することによりそして続いて被覆層で覆われたマスキング剤を除去することにより設けられることができる。これに代えて、一つまたはそれより多い非被覆部分は付着後の電導被覆層の除去により設けられることができる。有利には、被覆層はレーザー、例えばダイオードレーザーにより除去されることができる。帯域境界線は特にもし被覆層の一部のレーザー除去により形成されるなら、肉眼では実質的に見えないかもしれない。有利には、帯域境界線の幅は１５０μｍより小さく、好ましくは１００μｍより小さく、より好ましくは５０μｍより小さく、最も好ましくは１０μｍより小さい。帯域境界線は他の電気的に加熱可能な帯域から一つの電気的に加熱可能な帯域の境界を定めるまたは実質的に境界を定めることができる。
【００１９】
母線は貴金属ペースト、例えば銀ペーストの付着により、または金属リボンの付着により形成されることができる。
【００２０】
電導被覆層を太陽制御被覆層であるように配置することは窓ガラスパネルを通しての太陽エネルギーの過剰通過を防ぐ機能を窓ガラスパネルの加熱性と組み合わせることを可能とすることができる。字句“太陽制御”はここでは基板の選択性を増加する、すなわち基板を通して透過される入射可視光の、基板を通して透過される入射太陽エネルギーに対する比を増加する、被覆層に関する。これに代えて、電導被覆層は低輻射率被覆であることができる。
【００２１】
電導被覆層は真空蒸着技術により、例えば磁気スパッタリングにより蒸着されることができ、または熱分解的に、例えば化学蒸着により形成されることができる。被覆層は好ましくは基板の表面の全表面に渡りまたは大部分に渡り付与される。
【００２２】
本発明の一好適実施例において、被覆膜は少なくとも一つの金属赤外線反射層を含む。この被覆膜は次の一連の層：誘電層／銀／誘電層または誘電層／銀／誘電層／銀／誘電層を含むことができる。誘電層は例えば酸化スズ、酸化亜鉛、窒化ケイ素、酸化チタン、酸化アルミニウムまたはそれらの一つまたはそれより多い混合物を含むことができる。
【００２３】
電導被覆層は好ましくは平方当り２から１００オームの間、好ましくは平方当り２から２５オームの間、例えば平方当り２．２，３．０，１５または２０オームからなる抵抗を持つ。
【００２４】
本発明による窓ガラスパネルにおいて、基板はガラス、例えば平坦なガラスのシート、ソーダ石灰ガラスまたはフロートガラスのシート、特に建築または車両用窓ガラスとしてまたはそれに組み込まれた続いての使用を意図したガラスのシートであることができる。それはその表面の少なくとも一部上に被覆層が付着される前にまたは付着された後に熱強化処理または曲げ処理を受けることができる。これに代えて、基板は同じように建築または車両用窓ガラスとしてまたはそれに組み込まれた続いての使用を意図することができる硬いまたは柔軟なプラスチックシート材料であることができる。
【００２５】
電導被覆層は基板の表面に直接設けられることができ、これに代えて、それは窓ガラスパネルに組み込まれたフィルム、例えばＰＥＴまたは他のプラスチックシート材料により担持されることができる。
【００２６】
本発明は実質的に不規則な形状の窓ガラスパネル、すなわち窓ガラスパネルの下縁によりかつ側縁への接線により形成される鋭角αを持つ窓ガラスに特に適用可能であり、特にαが６０°、５５°、４５°、４０°、３５°、３０°、２５°、２０°または１５°より小さいまたはそれに等しい場合に、そして特に第一と第二母線がこれらの縁に沿ってまたは隣接して配置されている場合により一層適用可能である。この発明の一実施例において、窓ガラスパネルの少なくとも一つの縁は実質的に曲がっていることができる。
【００２７】
窓ガラスパネルは車または列車の側面窓、航空機の風防ガラスまたは航海分野での利用を持つ窓ガラスパネルであることができる。
【００２８】
窓ガラスパネルは母線を横切って付与される１０から１００ボルトの間、好ましくは３０から５０ボルトの間の電圧を持つように適合されることができる。自動車での利用に対しては３２ボルト、より好ましくは３６ボルト、最も好ましくは４２ボルトの電圧が付与される。これに代えて、窓ガラスパネルは母線を横切って付与される１０から１４ボルトの間、例えば約１２ボルトの電圧を持つように適合されることができる。電気的に加熱可能な帯域により発生される熱は好ましくは平方メートル当り２５０から７５０ワットの間からなる。
【００２９】
一対より大きい間隔を置いた母線が設けられた実施例において、窓ガラスパネルは母線の各対を横切って付与される同じまたは実質的に同じ電圧を持つように適合されることができる。
【００３０】
特に窓ガラスパネルが一体形で提供される場合には、電導被覆層は追加の外部被覆（それは好ましくは実質的に非電導性である）、例えばラッカーで部分的または全体的に覆われることができる。これは電導被覆が露出した被覆層であることを防ぎ、かつ：
・電導被覆とその周囲との間の電気絶縁を提供する；及び／または
・電導被覆を磨耗から保護する；及び／または
・電導被覆及び／または帯域境界線に対しほこりを蓄積し及び／または清掃が困難となる傾向を減らす；
役目をすることができる。
【００３１】
本発明が今や窓ガラスの概略描写である図１、図２、図３及び図４を参照して例としてのみ説明されるであろう。
【発明を実施するための最良の形態】
【００３２】
図１は可動な自動車側面窓の形の窓ガラスパネル（１７）を示し、これはガラスシート（１）、窓ガラスの実質的に全表面に渡る実質的に透明な電導被覆層（２）、母線（２１，２２，２３，２４，２５，２６）、及び５つの電気的に加熱可能な帯域（３１，３２，３３，３４，３５）の境界を定める絶縁帯域境界線（６），（７），（８），（９），（１０），（１１），（１２），（１３），（１４），（１５）及び（１６）を含む。各母線は１０μｍ厚及び５ｍｍ幅の銀ペーストの層をスクリーン印刷することにより形成される。被覆層は平方当り約１５オームの抵抗を持ち、窓ガラスパネルの表面に渡って付着により形成される。
【００３３】
第一の電気的に加熱可能な帯域（３１）の電導経路（４１）はこの電気的に加熱可能な帯域を横切って電圧を付与するのに適合している母線（２１，２２）間に構成される。同様に電導経路（４２，４３，４４，４５）は第二（３２）、第三（３３）、第四（３４）及び第五（３５）の電気的に加熱可能な帯域に作用する母線間に構成される。この実施例では、第一の電気的に加熱可能な帯域の電導経路（４１）は電導被覆内でそれ自身の上で三度折り返されており、一方他の帯域のそれらはそれぞれ電導被覆内でそれら自身の上で一度折り返されている。
【００３４】
母線は異なる帯域間で共有されており、例えば母線（２２）は第一（３１）と第二（３２）の電気的に加熱可能な帯域の両方を横切って電圧を付与する役目をする。
【００３５】
各電導経路の長さ及び電気抵抗は、それらが等しくない高さの窓ガラスパネルの部分に配置されているという事実にもかかわらず実質的に等しい。
【００３６】
母線は窓ガラスパネルが取り付けられるのに適合している車のドア内の窓ガラスパネルの下縁の隠蔽場所により使用時に隠されることができる。
【００３７】
図２の配置では、電導経路（２４１）は窓ガラスパネル（２１７）の下縁に配置された母線（２２１）と窓ガラスパネルの上縁に配置された母線（２２２）との間の第一の加熱可能な帯域（２２５）でそれ自身の上で２度折り返されるように電導被覆内で方向を変えている。電導経路（２２７）は窓ガラスパネルの下縁に設けられた母線（２２３，２２４）間の第二の加熱可能な帯域（２２６）でそれ自身の上で一度折り返されている。
【００３８】
図３は間隔を置いた母線（６６，６７）を含む実質的に不規則な形状（６１）の窓ガラスパネルを示し、その窓ガラスパネルは窓ガラスパネルの下縁（６２）と窓ガラスパネルの側縁（６４）への接線（６３）により形成される鋭角α（６５）を持つ。
【００３９】
図４は間隔を置いた母線（８０，８１，８５，８６）、帯域境界線（７０，７１，７３，７４，９７，８８，７６，８９，７８，９８，８２，９０，８４）により境界を定められた電気的に加熱可能な帯域（８７，７５，７７，７９，８３，９３）を含む実質的に不規則な形状の窓ガラスパネルを示す。電導経路（７２）は母線（８５）と（８６）との間に構成され、電導経路（９１，９２，９４，９５，９６）は母線（８０）と（８１）との間に構成される。第一の電気的に加熱可能な帯域（８７）の電導経路（７２）は方向を変え、それ自身の上で三度折り返されているが、他の電気的に加熱可能な帯域（７５，７７，７９，８３，９３）の電導経路（９１，９２，９４，９５，９６）は単一方向を持つ。少なくとも二つの電気的に加熱可能な帯域に設けられた少なくとも二つの電導経路の長さは変わる。
【００４０】
図１はまた、第一、第二、第三、第四、第五及び第六の母線（２１，２２，２３，２４，２５，２６）が順序良くかつ窓ガラスパネルの下縁に沿って共軸的にまたは同一直線上に配置されている母線配置を示す。第一の電気的に加熱可能な経路（４１）は第一と第二母線（２１，２２）間に構成され、第二の電気的に加熱可能な経路（４２）は第二と第三母線（２２，２３）間に構成され、第三の電気的に加熱可能な経路（４３）は第三と第四母線（２３，２４）間に構成される、等々である。この実施例では、電気的に加熱可能な経路は電導被覆層（２）の境界を定められた部分により提供される。これに代えて、電気的に加熱可能な経路は電気的に加熱可能なワイヤーにより提供されることができる。
【００４１】
使用時には第二、第四及び第六母線（２２，２４，２６）は同じ負電位に維持されるが、第一、第三及び第五母線（２１，２３，２５）は同じ正電位（もちろん逆のこれらの電位も可能である）に維持される。この方式では、第二母線（２２）は第一（４１）と第二（４２）の電気的に加熱可能な経路の両方を横切って電圧を付与する役目をし、第三母線（２３）は第二（４２）と第三（４３）の電気的に加熱可能な経路の両方を横切って電圧を付与する役目をする、等々である。
【図面の簡単な説明】
【００４２】
【図１】窓ガラスパネルの概略描写である。
【図２】窓ガラスパネルの概略描写である。
【図３】窓ガラスパネルの概略描写である。
【図４】窓ガラスパネルの概略描写である。
【図１】
2005529055.tif 000003
【図２】
2005529055.tif 000004
【図３】
2005529055.tif 000005
【図４】
2005529055.tif 000006
【国際調査報告】
2005529055.tif 000007
2005529055.tif 000008
2005529055.tif 000009